(57)【要約】【課題】三角筋（前部）、大胸筋及び上腕三頭筋のトレーニングを行う者の体格に応じた前記トレーニングを行う。【解決手段】トレーニングマシーン２は、三角筋（前部）、大胸筋及び上腕三頭筋のトレーニングを行う者が着座する着座部６と、この着座部６の位置を上下方向に調節可能に支持する上下方向ガイドフレーム５１と、着座部６の位置を前後方向に調節可能に支持する前後方向ガイドフレーム５２とを備える。着座部６の上下方向の位置は上下調節用レバー６５の操作によって調節される。着座部６の前後方向の位置は前後調節用レバー８６の操作によって調節される。【選択図】図１
2007319524.tif 000002
【特許請求の範囲】
【請求項１】
三角筋（前部）、大胸筋及び上腕三頭筋のトレーニングを行う者が着座する着座部と、
前記着座部の位置を上下方向に調節可能に支持する上下方向ガイド部と、
前記着座部の位置を前後方向に調節可能に支持する前後方向ガイド部と
を備えたこと
を特徴とするトレーニングマシーン。
【請求項２】
前記上下方向ガイド部における前記着座部の位置を調節する上下調節手段と、
前記前後方向ガイド部における前記着座部の位置を調節する前後調節手段と
を備えたことを特徴とする請求項１に記載のトレーニングマシーン。
【請求項３】
前記上下方向ガイド部は前記着座部を上下方向に案内する上下方向ガイドフレームを備え、この上下方向ガイドフレームには前記着座部が選択的に固定される固定部位が複数設けられ、
前記前後方向ガイド部は前記着座部を保持した前後方向移動部を前後方向に案内する前後方向ガイドフレームを備え、この前後方向ガイドフレームには前記前後方向移動部が選択的に固定される固定部位が複数設けられ、
前記着座部は前記上下方向ガイドフレームに設けられた固定部位を選択して前記上下方向ガイドフレームにおける前記着座部の位置を調節する上下調節手段を備え、
前記前後方向移動部は前記前後方向ガイドフレームに設けられた固定部位を選択して前記前後方向ガイドフレームにおける前記着座部の位置を調節する前後調節手段を備えたこと
を特徴とする請求項１に記載のトレーニングマシーン。
【請求項４】
前記上下方向ガイドフレームには前記着座部が固定される固定部位として前記上下調節手段によって選択される上下調節用穴が形成される一方で前記上下調節手段は前記上下調節用穴に嵌入させるためのピンとこのピンを前記穴に嵌入及びそれを解除するための上下調節用レバーを備え、
前記前後方向ガイドフレームには前記前後方向移動部が固定される固定部位として前記前後調節手段によって選択される前後調節用穴が形成される一方で前記前後調節手段は前記前後調節用穴に嵌入させるためのピンとこのピンを前記穴に嵌入及びそれを解除するための前後調節用レバーを備えたこと
を特徴とする請求項３に記載のトレーニングマシーン。
【発明の詳細な説明】
【技術分野】
【０００１】
本発明は特定部位の筋肉、特に、三角筋（前部）、大胸筋及び上腕三頭筋をトレーニングするためのトレーニングマシーンに関する。
【背景技術】
【０００２】
三角筋（前部）、大胸筋及び上腕三頭筋のトレーニングマシーンとして例えば図６に示されたトレーニングマシーン１がある（非特許文献１）。
【０００３】
トレーニングマシーン１は操作部１０と荷重負荷装置１１とを備える。操作部１０は操作アーム１２ａ，１２ｂと着座部１３とを備える。
【０００４】
操作アーム１２ａ,１２ｂは着座部１３を支持しているフレーム１４に立設されている回転軸１５ａ，１５ｂに接続されている。回転軸１５ａ及び回転軸１５ｂは互いに連動回転し且つ互いに回転方向が異なるように並立している。操作アーム１２ａは回転軸１５ａに接続されるメインアーム１６ａとこのメインアーム１６ａの一端に設けられるグリップ１７ａ,１８ａとからなる。操作アーム１２ｂは回転軸１５ｂに接続されるメインアーム１６ｂとこのメインアーム１６ｂの一端に設けられるグリップ１７ｂ,１８ｂとからなる。また、図示省略されているが、回転軸１５ａ,１５ｂのいずれか一方には荷重負荷装置１１のウェイト１９と繋がっている索条２０が連結される駆動部が具備されている。
【０００５】
着座部１３は、トレーニングマシーン１を利用して三角筋（前部）、大胸筋及び上腕三頭筋のトレーニングを行う使用者が着座するシート２１と、前記使用者の腰部が宛がわれる腰当てパッド２２と、前記使用者の背中が宛がわれる背当てパッド２３とを備える。シート２１、腰当てパッド２２及び背当てパッド２３は床面に立設された支持フレーム２４に設けられている。腰当てパッド２２及び背当てパッド２３は支持フレーム２４に固定されている一方で、シート２１はその高さが調節可能となっている。また、着座部１３の前方には足置き台２５とアシストバー２６が設置されている。
【０００６】
荷重負荷装置１１は着座部１３に相対して床面に立設されている。荷重負荷装置は複数のウェイトブロック１９１からなるウェイト１９を備える。ウェイト１９の重量はウェイトブロック１９の選択数を調節することにより任意に設定される。
【０００７】
トレーニングマシーン１の使用方法について説明する。前記使用者は床に足を置きそしてシート２１に着座しながらシート２１の高さを調節する。次いで、前記使用者が背中を背当てパッド２３に宛がうと共に足を足置き台２５に掛けた状態で、グリップ１７ａ,１７ｂ（またはグリップ１８ａ，１８ｂ）を前方に押し出すと、メインアーム１６ａ,１６ｂはそれぞれ回転軸１５ａ,１５ｂを中心に回動する。そして、肘が伸びきる手前でグリップ１７ａ,１７ｂ（またはグリップ１８ａ，１８ｂ）をゆっくり戻す。このとき前記使用者の特定部位の筋肉すなわち三角筋（前部）、大胸筋及び上腕三頭筋に荷重負荷装置１１によって予め設定されたウェイト１９の重量の負荷がかかる。これにより前記特定部位の筋肉のトレーニングができる。
【非特許文献１】セノー株式会社，２００６セノー総合カタログ「Ｓｐｏｒｔｓ Ｐｒｏｄｕｃｔ Ｇｕｉｄｅ ２００６」，２００５年９月，ｐｐ．１６１
【発明の開示】
【発明が解決しようとする課題】
【０００８】
トレーニングマシーン１の着座部１３はシート２１が上下方向に移動可能であるが前後方向に移動可能となっていない。したがって、トレーニングマシーン１では使用者の体格に応じた三角筋（前部）、大胸筋及び上腕三頭筋のトレーニングが行えない。
【課題を解決するための手段】
【０００９】
そこで、請求項１のトレーニングマシーンは、三角筋（前部）、大胸筋及び上腕三頭筋のトレーニングを行う者が着座する着座部と、前記着座部の位置を上下方向に調節可能に支持する上下方向ガイド部と、前記着座部の位置を前後方向に調節可能に支持する前後方向ガイド部とを備える。
【００１０】
請求項２のトレーニングマシーンは、請求項１のトレーニングマシーンにおいて、前記上下方向ガイド部における前記着座部の位置を調節する上下調節手段と、前記前後方向ガイド部における前記着座部の位置を調節する前後調節手段とを備える。
【００１１】
請求項３のトレーニングマシーンは、請求項１のトレーニングマシーンにおいて、前記上下方向ガイド部は前記着座部を上下方向に案内する上下方向ガイドフレームを備え、この上下方向ガイドフレームには前記着座部が選択的に固定される固定部位が複数設けられ、前記前後方向ガイド部は前記着座部を保持した前後方向移動部を前後方向に案内する前後方向ガイドフレームを備え、この前後方向ガイドフレームには前記前後方向移動部が選択的に固定される固定部位が複数設けられ、前記着座部は前記上下方向ガイドフレームに設けられた固定部位を選択して前記上下方向ガイドフレームにおける前記着座部の位置を調節する上下調節手段を備え、前記前後方向移動部は前記前後方向ガイドフレームに設けられた固定部位を選択して前記前後方向ガイドフレームにおける前記着座部の位置を調節する前後調節手段を備える。
【００１２】
請求項４のトレーニングマシーンは、請求項３のトレーニングマシーンにおいて、前記上下方向ガイドフレームには前記着座部が固定される固定部位として前記上下調節手段によって選択される上下調節用穴が形成される一方で前記上下調節手段は前記上下調節用穴に嵌入させるためのピンとこのピンを前記穴に嵌入及びそれを解除するための上下調節用レバーを備え、前記前後方向ガイドフレームには前記前後方向移動部が固定される固定部位として前記前後調節手段によって選択される前後調節用穴が形成される一方で前記前後調節手段は前記前後調節用穴に嵌入させるためのピンとこのピンを前記穴に嵌入及びそれを解除するための前後調節用レバーを備える。
【００１３】
請求項１〜４のトレーニングマシーンによれば三角筋（前部）、大胸筋及び上腕三頭筋のトレーニングを行う者が着座する位置を上下方向及び前後方向に調節できる。特に、請求項２〜４のトレーニングマシーンによれば、前記着座する位置の上下方向及び前後方向に任意に選択できる。
【発明の効果】
【００１４】
以上のように請求項１〜４の発明によれば、三角筋（前部）、大胸筋及び上腕三頭筋のトレーニングを行う者が着座する位置が上下方向及び前後方向に調節できるので、前記トレーニングを行う者の体格に応じた三角筋（前部）、大胸筋及び上腕三頭筋のトレーニングが行える。
【発明を実施するための最良の形態】
【００１５】
図１は本発明の一実施形態に係るトレーニングマシーンを示した側面図である。
【００１６】
図１に示されたトレーニングマシーン２は三角筋（前部）、大胸筋及び上腕三頭筋のためのトレーニングマシーンであって操作部３と荷重負荷装置４とを備える。操作部３は操作アーム５ａ，５ｂと着座部６とを備える。
【００１７】
操作アーム５ａ，５ｂは、図４に示されたように一対の関係にあり、荷重負荷装置４と着座部６とを支持したフレーム７に立設された回転軸８ａ，８ｂに接続されている。回転軸８ａ及び回転軸８ｂは着座部６の下方で並立している。また、回転軸８ａ及び回転軸８ｂはトレーニングマシーン１の動作例の説明した図４に示されたように互いに連動回転可能であると共に回転方向が互いに異なるように設置される。
【００１８】
操作アーム５ａは、図４に示された三角筋（前部）、大胸筋及び上腕三頭筋のトレーニングを行う使用者３０の右手によって操作される操作アームであって、メインアーム３１aとグリップ３２ａとからなる。メインアーム３１ａはその下端部が回転軸８ａの周側面に固定されている。グリップ３２ａはメインアーム３１aの上端部に回転軸３３ａを介して軸着された連結プレート３４ａに立設されている。グリップ３２ａは回転軸３３ａを中心に位置が変更可能となっている。
【００１９】
操作アーム５ｂは、使用者３０の左手によって操作される操作アームであって、図４に示された回転軸８ｂに固定されたメインアーム３１ｂとこのメインアーム３１ｂの一端側に設けられたグリップ３２ｂとからなる。メインアーム３１ｂは、メインアーム３１ａと同様に、その下端部が回転軸８ｂの周側面に固定されている。グリップ３２ｂも、グリップ３２ａと同様に、メインアーム３１ｂの上端部に回転軸３３ｂを介して軸着された連結プレート３４ｂに立設されている。グリップ３２ｂは回転軸３３ｂを中心に位置が変更可能となっている。
【００２０】
回転軸８ａ，８ｂのいずれか一方にはフレーム７上で軸支されたシーブ３５に繋がれた索条３６が連結される駆動部３７が固定されている。図示された実施形態では回転軸８ａに駆動部３７が設けられている。駆動部３７は略扇型の円盤状に形成されている。そして、駆動部３７の周側面には駆動部３７の回転に伴い索条３６が巻き込まれる溝３８が形成されている。
【００２１】
着座部６は、図１に示されたように、シート４１と腰当てパッド４２と背当てパッド４３とシートフレーム４４とを備える。腰当てパッド４２及び背当てパッド４３はシートフレーム４４に固定されている一方で、シート４１はシートフレーム４４の下端部に接続されたシート連結部４５の上面に固定されている。また、着座部６の前方には使用者３０の足が掛けられる足置き台４６及びアシストバー４７が配置されている。足置き台４６はフレーム７に固定されている。アシストバー４７は連接棒４８を介して回転軸４８を回転させて操作アーム５ａ，５ｂの回動開始を前方に調節させるためのバーである。アシストバー４７はフレーム７上で支承された回転軸４９によって軸支されていると共に連結棒４８を介して回転軸８ａ，８ｂに連結されている。
【００２２】
着座部６は上下方向ガイドフレーム５１と前後方向ガイドフレーム５２とによって支持されている。上下方向ガイドフレーム５１は着座部６を支持すると共に着座部６の位置を上下方向に変更するときに着座部６を上下方向に案内する。前後方向ガイドフレーム５２は着座部６を支持すると共に着座部６の位置を前後方向に変更するときに着座部６を前後方向に案内する。
【００２３】
上下方向ガイドフレーム５１は前後方向ガイドフレーム５２に具備された前後移動スリーブ５３の上面において支持フレーム５４と補強フレーム５５によって適度な角度で後方に傾斜支持されている。支持フレーム５４は連結フレーム５６を介して前後移動スリーブ５３に接続されている。上下方向ガイドフレーム５１における着座部６の設置高さは後述の上下調節手段の上下調節用レバー６５によって調節可能となっている。
【００２４】
上下方向ガイドフレーム５１には着座部６を保持する上下移動スリーブ５７が上下方向ガイドフレーム５１の長手方向に移動可能に設けられている。すなわち、上下移動スリーブ５７は上下方向ガイドフレーム５１の裏面においてその長手方向に沿って設けられたレール５８をスライド移動するスライドガイド５９を備えている。一方、上下方向ガイドフレーム５１の前面（シート連結部４５が連結される面）には、着座部６が選択的に固定される固定部位として、上下調節用レバー６５によって操作されたピン６１が嵌入する複数の穴５１１が上下方向ガイドフレーム５１の長手方向に沿って配置されるように形成されている。そして、この上下方向ガイドフレーム５１の前面には前述の複数の穴５１１と各々連通する穴６０１が形成された調節プレート６０が設置されている。
【００２５】
前後方向ガイドフレーム５２はフレーム７において床面に対して平行に支持されている。前後方向ガイドフレーム５２には着座部６を保持する前後移動スリーブ５３が前後方向ガイドフレーム５２の長手方向に移動可能に設けられている。前後方向ガイドフレーム５２における着座部６の位置は後述の前後調節手段の前後調節用レバー８６によって調節可能となっている。
【００２６】
図２（ａ）は着座部６の上下調節手段の構成と動作例（着座部６を固定させる時の動作）を示した断面図であり、図２（ｂ）は前記上下調節手段の動作例（着座部６を移動させる時の動作）を示した断面図である。
【００２７】
着座部６の上下調節手段はシート連結部４５に具備されている。前記上下調節手段は、調節プレート６０及び上下方向ガイドフレーム５１に形成された穴６０１，５１１に嵌入されるピン６１と、このピン６１を穴６０１，５１１に嵌入及びその解除を行う回転子６２と、この回転子６２を回動させるシャフト６３と、このシャフト６３を動作させる回転子６４と、この回転子６４を回動させる上下調節用レバー６５とを備える。
【００２８】
ピン６１はシート連結部４５の後側壁部４５１に設置された筒体６６に挿通されている。筒体６６はその軸線が調節プレート６０に対して垂直となるように後側壁部４５１に設置されている。筒体６６にはピン６１を調節プレート６０側に付勢させる弾性体としてバネ６７が収納されている。一方、ピン６１はバネ６７の接触圧を受けるためのストッパー６８を備える。筒体６６の端面から排出されるピン６１の端部には回転子６２の一端に軸着された連結具６９が軸着される。回転子６２は筒体６６の外周面に設置された支持体７０に回転軸７１によって軸支されている。シャフト６３はシート連結部４５の天井部４５２の下方に配置されたスリーブ７２に遊嵌支持されている。スリーブ７２はシャフト６３が調節プレート６０に対して略垂直に往復動可能となるようにシャフト６３を保持している。回転子６４は、シート連結部４５の前側壁部４５３に近い側壁部４５４の内面に支持された回転軸７３の軸受け部７４に接続されていると共に、シャフト６３の接触圧を受けると前側壁部４５３の内面に当接支持されるようになっている。上下調節用レバー６５は軸受け部７４に接続されている。上下調節用調節レバー６５はシート連結部４５から前方に突出するような形態で軸受け部７４に接続されている。上下調節用レバー６５の回動範囲は前側壁部４５３によって制限されている。一方、上下移動スリーブ５７の動作範囲は支持フレーム５４に設けられたストッパー７５によって制限されている。
【００２９】
図３（ａ）は着座部６の前後調節手段の構成と動作例（着座部６を固定させる時の動作）を示した断面図であり、図３（ｂ）は前記前後調節手段の動作例（着座部６を移動させる時の動作）を示した断面図である。
【００３０】
着座部６の前後調節手段は前後方向ガイドフレーム５２に設けられた前後移動スリーブ５３に具備されている。前後移動スリーブ５３は前後方向ガイドフレーム５２の長手方向に沿って移動可能に設けられる。すなわち、前後移動スリーブ５３は前後方向ガイドフレーム５２が挿通される筒体を成す。そして、この前後移動スリーブ５３の底面部５３１の内側面には前後方向ガイドフレーム５２の下面にその長手方向に沿って設けられたレール８１をスライド移動するスライドガイド８２が設けられている。スライドガイド８２にはレール８１と嵌合してレール８１上をスライド移動する溝８２１が形成されている。一方、前後方向ガイドフレーム５２の外側面には、着座部６が選択的に固定される固定部位として、前記前後調節手段の前後調節用レバー８６によって操作されたピン８４が嵌入する複数の穴８３１が形成された調節プレート８３が設置されている。調節プレート８３に複数形成された穴８３１は調節プレート８３の長手方向すなわち前後方向ガイドフレーム５２の長手方向に沿って配列されている。
【００３１】
前記前後調節手段は、図３（ａ）に示されたように、調節プレート８３に形成された穴８３１に嵌入されるピン８４と、このピン８４を穴８３１に嵌入及びその解除を行う回転子８５と、この回転子８５を回動させる前後調節用レバー８６とを備える。
【００３２】
ピン８４は前後移動スリーブ５３の側壁部５３２に設置された筒体８７に挿通されている。筒体８７はその軸線が調節プレート８３に対して垂直となるように側壁部５３２に設置されている。筒体８７にはピン８４を調節プレート８３側に付勢させる弾性体としてバネ８８が収納されている。一方、ピン８４はバネ８８の接触圧を受けるためのストッパー８９を備える。また、筒体８７の端面から排出されるピン８４の端部には回転子８５の一端に軸着された連結具９０が軸着される。回転子８５は移動スリーブ５３または連結フレーム５６に固定された支持体９１に支承された回転軸９２に接続されている。前後調節用レバー８６は連結具９３を介して回転軸９２に接続されている。
【００３３】
荷重負荷装置４は図１に示されたようにフレーム７内に荷重負荷の設定が任意に可能なウェイト１０１を備えている。ウェイト１０１はウェイトフレーム１０２内に設置された図示省略の補強フレームに載置されている。ウェイトフレーム１０２は床面においてフレーム７によって支持されている。ウェイト１０１は複数のウェイトブロックからなる。ウェイト１０１の荷重負荷はトレーニングマシーン２を使用する使用者の要望に応じてウェイトブロックが複数選択されて設定される。ウェイト１０１には索条１０３が連結されている。索条１０３は荷重負荷装置４に設置された誘導滑車１０４，１０５を経てさらにフレーム７上で軸支された円形カム１０８に連結されている。円形カム１０８はフレーム７上に支承された図示省略の回転軸の一端部に接続されている。前記回転軸の他端部にはシーブ３５が接続されている。円形カム１０８はシーブ３５よりも大径に形成されている。シーブ３５は前述のように駆動部３７に連結された索条３６に繋がれている。また、図示省略されているが、ウェイトフレーム１０２内には荷重負荷設定されたウェイト１０１の昇降を安定駆動させるための一対の摺動レールが設けられている。さらに、ウェイトフレーム１０２には前記ウェイトブロックによって手などを挟まないようにカバー１０６が付帯されている。但し、カバー１０６にはウェイト１０１の荷重の設定及びその確認ができる程度の隙間が確保されている。また、ウェイトフレーム１０２の上部には誘導滑車１０４，１０５を遮蔽するボックス１０７が取り付けられている。ボックス１０７にはトレーニングマシーン２の使用方法等が掲示されている。
【００３４】
図１〜図５を参照しながらトレーニングマシーン２の動作例について説明する。
【００３５】
トレーニングマシーン２によって三角筋（前部）、大胸筋及び上腕三頭筋のトレーニングを始める際、先ず、前記トレーニングを行う使用者の体格に応じて図１に示された着座部３の上下方向及び前後方向の位置が調節される。着座部３の上下方向の位置は上下調節用レバー６５の操作によって調節される。着座部３の前後方向の位置は前後調節用レバー８６の操作によって調節される。
【００３６】
例えば、着座部６の上下方向の位置する場合、図１に示された上下調節用レバー６５の操作によって前記高さが調節される。すなわち、図２（ａ）に示された上下調節用レバー６５が矢印で示したように回転軸７３を中心に上方に回動するように操作されると、回転子６４は回転軸７３を中心に時計方向に回動する。シャフト６３は前記回動する回転子６４の接触圧を受けてスリーブ７２の軸線に沿って調節プレート６０方向に動作する。回転子６２はシャフト６３の接触圧を受けて回転軸７１を中心に反時計方向に回動する。ピン６１は連結具６９を介して回転子６２に連結されているので、回転子６２が回転軸７１を中心に反時計方向に回動すると、図２（ｂ）に示されたようにピン６１は上下調節用の穴である調節プレート６０及び上下方向ガイドフレーム５１の穴６０１,５１１から引き出される。次いで、シート連結部４５を動かしてピン６１を前記使用者が要求する穴６０１,５１１に誘導した後に上下調節用レバー６５を放すと、ストッパー６８が筒体６６内のバネ６７の接触圧を受けて調節プレート６０に当接する。このときピン６１は前記要求された穴６０１,５１１に嵌入した状態となる。このようにして図１に示された着座部６は上下方向ガイドフレーム５１の所定の位置に固定される。
【００３７】
一方、着座部６の前後方向の位置を調節する場合、図１に示された前後調節用レバー８６の操作によって前記位置が調節される。すなわち、図３（ａ）に示された前後調節用レバー８６が矢印で示したように回転軸９２を中心に上方に回動するように操作されると、回転子８５は回転軸９２を中心に反時計方向に回動する。ピン８４は連結具９０を介して回転子８５に連結されているので、回転子８５が回転軸９２を中心に反時計方向に回動すると、図３（ｂ）に示されたようにピン８４は前後調節用の穴である調節プレート８３の穴８３１から引き出される。そして、前後移動スリーブ５３を移動させてピン８４を前記使用者の要求された穴８３１に誘導した後に前後調節用レバー８６を放すと、ストッパー８９が筒体８７内のバネ８８の接触圧を受けて調節プレート８３に当接する。このときピン８４は前記要求された穴８３１に嵌入した状態となる。このようにして着座部６は前後方向ガイドフレーム５２の所定の位置に固定される。
【００３８】
そして、図４に示されたように、使用者３０が腰部及び背中を図１に示された腰当てパッド４２及び背当てパッド４３に宛がうと共に足を足置き台４６に掛けた状態でグリップ３２ａ,３２ｂを矢印で示したように前方に押し出すと、メインアーム３１ａ,３１ｂは回転軸８ａ,８ｂを中心に回動する。このとき、使用者３０の特定部位の筋肉すなわち三角筋（前部）、大胸筋及び上腕三頭筋には荷重負荷装置４によって予め設定されたウェイト１０１の重量の負荷がかかっているので、前記特定部位の筋肉のトレーニングが可能となる。また、図５に示したように使用者３０の肘が伸びきる手前でグリップ３２ａ,３２ｂを矢印方向にゆっくり戻すと、前記設定されたウェイト１０１の負荷が前記特定部位の筋肉にかかり、より一層効果的な前記特定部位の筋肉のトレーニングが可能となる。
【００３９】
以上のことから明らかなようにトレーニングマシーン２によれば前記使用者の体格に応じた三角筋（前部）、大胸筋及び上腕三頭筋のトレーニングができる。
【図面の簡単な説明】
【００４０】
【図１】本発明の一実施形態に係るトレーニングマシーンを示した側面図。
【図２】（ａ）は前記トレーニングマシーンに具備された着座部の上下調節手段の構成と動作例（前記着座部を固定させる時の動作）を示した断面図,（ｂ）は前記上下調節手段の動作例（前記着座部を移動させる時の動作）を示した断面図。
【図３】（ａ）は前記トレーニングマシーンに具備された着座部の前後調節手段の構成と動作例（前記着座部を固定させる時の動作）を示した断面図,（ｂ）は前記前後調節手段の動作例（前記着座部を移動させる時の動作）を示した断面図。
【図４】前記トレーニングマシーンの動作例の説明図。
【図５】前記トレーニングマシーンの動作例の説明図。
【図６】従来のトレーニングマシーンを示した斜視図。
【符号の説明】
【００４１】
２…トレーニングマシーン
３…操作部
４…荷重負荷装置
５ａ，５ｂ…操作アーム、３１a，３１ｂ…メインアーム、３２ａ，３２ｂ…グリップ、３３ａ，３３ｂ…回転軸、３４ａ，３４ｂ…連結プレート
６…着座部、４１…シート、４２…腰当てパッド、４３…背当てパッド、４４…シートフレーム、４５…シート連結部
７…フレーム
８ａ，８ｂ…回転軸
５１…上下方向ガイドフレーム、５２…前後方向ガイドフレーム、５３…前後移動スリーブ、５４…支持フレーム、５５…補強フレーム、５６…連結フレーム、５７…上下移動スリーブ、５８，８１…レール、５９，８２…スライドガイド
６０…調節プレート、６０１…穴、６１…ピン、６２…回転子、６３…シャフト、６４…回転子、６５…上下調節用レバー
８３…調節プレート、８３１…穴、８４…ピン、８５…回転子、８６…前後調節用レバー
【図１】
2007319524.tif 000003
【図２】
2007319524.tif 000004
【図３】
2007319524.tif 000005
【図４】
2007319524.tif 000006
【図５】
2007319524.tif 000007
【図６】
2007319524.tif 000008